(57)【要約】【課題】入浴時に浴槽中の湯に浮かべ又は湯中に沈める際の取り扱いに便利であると共に商品としての外観面でも好ましい浴槽投入用健康器具を提供する。【解決手段】ゲルマニウムを含む球状のセラミックス体（１）と、該セラミックス体を着脱自在に嵌着するための支持孔（５）を備えた木製支持台（３）とよりなる浴槽投入用健康器具。セラミックス体（１）と、該セラミックス体を出し入れ自在に保持する保持体（１１）とよりなり、該保持体は、相対向する一対の基台（１３）（１５）と、該基台間に取り付けた複数本の棒状体（１７）とを備え、当該複数本の棒状体間に該セラミックス体を保持させ、該棒状体のうち少なくとも一本を当該一対の基台に対し着脱自在となし、着脱自在の棒状体を当該一対の基台から取り外すことにより該セラミックスを棒状体間に出し入れすることができるようにした浴槽投入用健康器具。【選択図】図１
0003102068.tif 000002
【実用新案登録請求の範囲】
【請求項１】
ゲルマニウムを含む球状のセラミックス体と、該セラミックス体を着脱自在に嵌着するための支持孔を備えた木製支持台とよりなることを特徴とする浴槽投入用健康器具。
【請求項２】
ゲルマニウムを含む球状のセラミックス体と、該セラミックス体を出し入れ自在に保持する保持体とよりなり、
該保持体は、相対向する一対の基台と、該基台間に取り付けた複数本の棒状体とを備え、当該複数本の棒状体間に該セラミックス体を保持させ、該棒状体のうち少なくとも一本を当該一対の基台に対し着脱自在となし、当該着脱自在の棒状体を当該一対の基台から取り外すことにより該セラミックスを棒状体間に出し入れすることができるようにしたことを特徴とする浴槽投入用健康器具。
【考案の詳細な説明】
【技術分野】
【０００１】
本考案は、浴槽投入用健康器具に関するものであり、入浴時に浴槽中の湯に浮かべ又は湯中に沈めるようにした浴槽投入用健康器具に係るものである。
【背景技術】
【０００２】
このような浴槽投入用健康器具として、実用新案登録第３０９４７２４号公報に示すものが知られている。
【０００３】
実用新案登録第３０９４７２４号公報に示す浴槽投入用健康器具（以下単に「従来の浴槽投入用健康器具」という。）は、ゲルマニウムを含む球状のセラミックス体よりなる浴槽投入用健康器具又はゲルマニウムと麦飯石とトルマリンとを含む球状のセラミックス体よりなる浴槽投入用健康器具である。
【特許文献１】実用新案登録第３０９４７２４号公報
【考案の開示】
【考案が解決しようとする課題】
【０００４】
上記従来の浴槽投入用健康器具は、球状のセラミックス体であるため、入浴時に浴槽中の湯に浮かべ又は湯中に沈める際の取り扱いに不便であると共に商品としての外観面でも好ましくない。
【０００５】
本考案は上記従来の浴槽投入用健康器具におけるこのような問題を解消すると共に癒しの効果を向上させた浴槽投入用健康器具を提供しようとしてなされたものである。
【課題を解決するための手段】
【０００６】
上記課題を解決するために、本考案は下記の浴槽投入用健康器具を提供する。
【０００７】
（１）ゲルマニウムを含む球状のセラミックス体と、該セラミックス体を着脱自在に嵌着するための支持孔を備えた木製支持台とよりなることを特徴とする浴槽投入用健康器具（請求項１）。
【０００８】
（２）ゲルマニウムを含む球状のセラミックス体と、該セラミックス体を出し入れ自在に保持する保持体とよりなり、
該保持体は、相対向する一対の基台と、該基台間に取り付けた複数本の棒状体とを備え、当該複数本の棒状体間に該セラミックス体を保持させ、該棒状体のうち少なくとも一本を当該一対の基台に対し着脱自在となし、当該着脱自在の棒状体を当該一対の基台から取り外すことにより該セラミックスを棒状体間に出し入れすることができるようにしたことを特徴とする浴槽投入用健康器具（請求項２）。
【０００９】
［考案の作用］
［請求項１の考案］
浴槽投入用健康器具を使用する際には、セラミックス体を木製支持台の支持孔に嵌着した状態でこれを入浴時に浴槽中の湯に浮かべ又は湯中に沈める。
【００１０】
浴槽投入用健康器具を掃除する際には、セラミックス体を木製支持台の支持孔から取り外す。
【００１１】
木製支持台の支持孔に嵌着したセラミックス体は、ゲルマニウムを含むため、水分子に作用して水をマイナスイオン化し、水をいわゆるマイナスイオン還元水状態にする。
【００１２】
［請求項２の考案］
浴槽投入用健康器具を使用する際には、セラミックス体を保持体に保持させた状態でこれをこれを入浴時に浴槽中の湯に浮かべ又は湯中に沈める。
【００１３】
浴槽投入用健康器具を掃除する際には、着脱自在の棒状体を一対の基台から取り外し、セラミックス体を棒状体間から取り出す。
【００１４】
保持体に保持させたセラミックス体は、ゲルマニウムを含むため、水分子に作用して水をマイナスイオン化し、水をいわゆるマイナスイオン還元水状態にする
【考案の効果】
【００１５】
本考案の浴槽投入用健康器具は、球状のセラミックス体を木製支持台の支持孔に嵌着し、又は球状のセラミックス体を保持体に保持させたものであるため、取り扱いが容易であるだけでなく、木の香り、手触り等による好ましい癒しの効果が発揮される。
【００１６】
なお、本考案の浴槽投入用健康器具における球状のセラミックス体は、従来の浴槽投入用健康器具と同様に、ゲルマニウムを含むものであるため、浴槽投入用健康器具を浴槽中の湯に浮かべ又は湯中に沈めたときには、人体に種々の好ましい影響を与え、健康の増進に資するものである。
【考案を実施するための最良の形態】
【００１７】
まず、図１に示す事例について説明する。
【００１８】
図１に示す浴槽投入用健康器具は、球状のセラミックス体１と、該セラミックス体１の木製支持台３とよりなる
【００１９】
セラミックス体１は、ゲルマニウムを含む球状体である。セラミックス体１の直径は、例えば約２３．５〜２５ｍｍである。セラミックス体１の重さは一例として約１５ｇである。
【００２０】
木製支持台３は、セラミックス体１を着脱自在に嵌着するための支持孔５を備えている。図１に示す事例においては、木製支持台３は２個の支持孔５を備えているが、支持孔５の数は随意である。
【００２１】
木製支持台３は、好ましくは檜により形成する。
【００２２】
次に、図２、図３に示す事例について説明する。
図２、図３に示す浴槽投入用健康器具は、球状のセラミックス体１と、該セラミックス体を出し入れ自在に保持する保持体１１とよりなる。セラミックス体１はゲルマニウムを含む。この事例においては、６個のセラミックス体１が使用されているが、セラミックス体１の数は随意である。
【００２３】
保持体１１は、相対向する一対の基台１３、１５と、該基台１３、１５間に取り付けた複数本の棒状体１７とを備えている。この事例においては、４本の棒状体１７が使用されているが棒状体１７の数は随意である。
【００２４】
当該複数本の棒状体１７間にセラミックス体１を保持させる。棒状体１７のうち少なくとも一本を当該一対の基台１３、１５に対し着脱自在となし、当該着脱自在の棒状体１７を当該一対の基台１３、１５から取り外すことによりセラミックス体１を棒状体１７間に出し入れすることができるようになす。
【００２５】
棒状体１７を一対の基台１３、１５に対し着脱自在となすに当っては、一例として図３に示す如く、一方の基台１３には棒状体１７の一端１７ａを受ける凹部１９を形成し、該凹部１９には永久磁石２１を取り付けると共に棒状体１７の当該一端１７ａには該永久磁石２１により吸着される鉄部材２３を取り付ける。なお、これと逆に、棒状体１７の当該一端１７ａに永久磁石２１を取り付け、凹部１９には該永久磁石２１により吸着される鉄部材２３を取り付けるようにしてもよい。また、他方の基台１５には棒状体１７を挿通させる透孔２５を形成する。
【００２６】
図３に示す事例においては、着脱自在の棒状体１７は、鉄部材２３が永久磁石２１に吸着されることにより、一対の基台１３、１５間に保持される。
【００２７】
一対の基台１３、１５と棒状体１７とは、それぞれ檜により形成することが望ましい。
【００２８】
本考案において用いられる球状のセラミックス体１の配合原料の組成は、例えば下記の通りである。
ゲルマニウム：  ０．１〜３重量部
トルマリン：  １０〜４０重量部
花崗斑岩：    １０〜４０重量部
石墨千枚岩：  １０〜２０重量部
海藻カルシウム：５〜１０重量部
木節粘土：    ２０〜３０重量部
【図面の簡単な説明】
【００２９】
【図１】本考案による浴槽投入用健康器具の一例を示す斜視図である。
【図２】本考案による浴槽投入用健康器具の別の一例を示す斜視図である。
【図３】図２の浴槽投入用健康器具の断面図である。
【符号の説明】
【００３０】
１  セラミックス体
３  木製支持台
５  支持孔
１１  保持体
１３  基台
１５  基台
１７  棒状体
１７ａ  一端
１９  凹部
２１  永久磁石
２３  鉄部材
２５  透孔
【図１】
0003102068.tif 000003
【図２】
0003102068.tif 000004
【図３】
0003102068.tif 000005